(57)【要約】      （修正有）【課題】ニット帽内で音楽を再生でき、ニット帽の着用もしやすいイヤホン付きニット帽の構造を提供する。【解決手段】ニット帽１及びイヤホン２で構成するイヤホン付きニット帽であって、ニット帽の本体内部に着用スペースを具有し、且つ底部の折り返し１２は一段或いは一段以上の折り畳み層１２１を具有し、折り返しの折り畳み層に近い背面に二つの相対する収納袋１２２、二つのリング状定位バックル１２３及び穴１２４を設ける。二つの収納袋の相対するサイドに開口を設け、イヤホンのスピーカー２１を開口から収納袋に出し入れでき、二つのスピーカーからコード２２を延伸し、片端にあるアダプタコネクタは差込穴を具有する。アダプタコネクタの両サイドに凸設するウィング２３１は水平且つ横向きに折り畳み層１２１にあるバックル内に挿入でき、アダプタコネクタ２３は折り畳み層にある穴に通したドッキングコネクタ２４と電気接続する。【選択図】図２
0003181435.tif 000002
【実用新案登録請求の範囲】
【請求項１】
ニット帽及びイヤホンを含み、
該ニット帽に着用スペースを具有する本体を設け、且つ本体から折り畳める折り返しを延伸し、該折り返しの外側に二つの相対する収納袋を設け、更に二つの収納袋の相対する内側の折り返し部分に上下に縦方向に並んで設置するリング状の定位バックルを設け、更に収納袋のサイドに近い折り返しの部分に穴を設け、
該イヤホンをニット帽の折り返し部分に設置し、二つのスピーカーは収納袋の開口部から出し入れでき、更に二つのスピーカーはそれぞれ延伸したコードを設け、該二本のコードの端は共に差込穴を具有するアダプタコネクタと接続し、
該アダプタコネクタの差込穴に近い外側両サイドにそれぞれ折り返しにある二つの定位バックルに挿入して横向きに定位できるウィングを凸設し、アダプタコネクタは折り返しにある穴に通したドッキングコネクタと電気接続し、該ドッキングコネクタはミュージックプレイヤーと電気接続するケーブルを具有することを特徴とするイヤホン付きニット帽の構造。    
【請求項２】
前記ニット帽の本体底部にある折り返しは一段或いは一段以上の折り畳み層を具有し、本体と連接する折り畳み層の背面両サイドにそれぞれ収納袋を設けることを特徴とする請求項１記載のイヤホン付きニット帽の構造。
【請求項３】
前記ニット帽の折り返し部分に二つの相対する収納袋を設け、且つ二つの収納袋は相対的に内側にそれぞれ一辺に閉側を具有する開口を設け、該二つの開口はそれぞれ上辺或いは下辺が閉側を形成することを特徴とする請求項１記載のイヤホン付きニット帽の構造。
【請求項４】
前記イヤホンのアダプタコネクタと電気接続するドッキングコネクタは、それぞれオーディオコネクタのジャックタイプの差込穴或いはプラグタイプのオーディオプラグであることを特徴とする請求項１記載にイヤホン付きニット帽の構造。
【請求項５】
前記ケーブルにボリュームを調整或いは音声対話を行うボリュームコントローラーを設置することを特徴とする請求項１記載のイヤホン付きニット帽の構造。
【考案の詳細な説明】
【技術分野】
【０００１】
本考案はイヤホン付きニット帽の構造に関し、特に暖かいと同時に音楽が聴けるニット帽に関し、更に詳しくは、ニット帽の折り返し部分に収納袋を設置し、イヤホンのスピーカーを収納することができる。ニット帽をかぶると同時に音楽を聴くことができ、別途イヤホンをつける必要がないため、便利に使うことのできるイヤホン付きニット帽の構造に関する。
【背景技術】
【０００２】
電子製品の科学技術が飛躍的に進歩する時代で、スマートホーンやタブレットＰＣに小型ノートパソコンなどの携帯型電子製品がブームになり、多くの人がほぼ随時手に持って使用している。また様々な携帯型電子製品は、通常の通信、会話機能だけでなく、写真に動画、インターネットに接続或いはゲーム、オンラインゲームなどができるため、携帯型電子製品はもはや現代人には欠かせないツールの一つとなっている。このほか、携帯型の電子製品は音楽を再生する機能もあり、インターネットにオンラインして各ジャンルの音楽をダウンロードしてから、電子製品を通じて直接再生、或いは外付けの音響やスピーカーを使って再生するなど、いずれも音楽を聴くことができる。
【０００３】
しかし、電子製品或いはスピーカーを使って直接再生すると、周りの人に迷惑をかけるだけでなく、音楽も聴き取りづらいため、多くのユーザーは好んで電子製品にイヤホンをつけて簡素且つ実用的なウォークマン（登録商標）として使用するなど、多機能を一体にまとめるモードで多種の応用機能を備えたものを使用するのが、目下若者の最もポピュラーな音楽の鑑賞方法である。お休みのとき、バイクに乗るときや歩いているとき、車を待つ或いは乗るときなど、様々なシーンや様々な時間で直接音楽を聴くことができ、最も便利で今最も広く応用されているイヤホンの形状は、頭部に掛けるヘッドホン或いは耳に入れるタイプ、耳に掛けるタイプなど様々な形はあるが、どの形状のイヤホンでも、頭上或いは耳からイヤホンの本体が突出することになる。帽子をかぶりたい場合、すぐさまイヤホンが邪魔になる。
【０００４】
人々は冬に帽子或いはニット帽をかぶって頭部を冷えから守りたがるが、実際イヤホンを使うとなると、両方一緒に使用することができず、或いは帽子プラスイヤホンというおかしなスタイルになるため、多くの欠点が存在する。例えば：
(１)イヤホン或いは帽子は頭上で一定のスペースを占領するため、同時にイヤホンと帽子両方を使用するのは容易なことではなく、帽子又はイヤホンが外れてしまう状況が発生しやすいため、一つのみつけることを余儀なく選択しなくてはならない。
(２)イヤホンと帽子を共に外出時に携帯すると、比較的広いスペースを取る。また、イヤホンのコードは絡まりやすく、特に頭上を跨ぐようなオーバーヘッドホンでは、ほかの持ち物と互いに接触して損傷しやすくなる。
イヤホンをつけて音楽を聴きながら同時に帽子をかぶると、互いに邪魔になってしまい、同時に使用できない。また、イヤホンを直接耳に掛けて使用すると、聴力が悪くなるなどの欠点を鑑みて、更なる改善が必要であった。
【先行技術文献】
【特許文献】
【０００５】
【特許文献１】実用新案登録第３１６９３７５号公報
【特許文献２】特開２０１１−１１８８４６号公報
【考案の概要】
【考案が解決しようとする課題】
【０００６】
前記公知構造の欠点を解決するため、本考案は同時にニット帽をかぶって音楽が聴けるイヤホン付きニット帽を提供することを主な課題とし、該ニット帽の折り返しを折り畳むことができ、更に二つの収納袋を設置してスピーカーを入れることができる。
【課題を解決するための手段】
【０００７】
上述の目的を解決するために、本考案はイヤホン付きニット帽の構造を提供するものである。本考案の第１の目的は、本考案のニット帽の本体内部に着用スペースを具有し、且つ底部から折り返しを延伸し、該折り返しは一段或いは一段以上の折り畳み層を具有して折り返すことができる。
該本体の折り返しの折り畳み層の背面に二つの相対する収納袋、二つの上下に縦方向に並んで設置するリング状定位バックル及び穴を設ける。二つの収納袋の相対するサイドにそれぞれ開口を設け、二つの開口の一辺はそれぞれ閉側を具有し、イヤホンのスピーカーを該二つの開口から収納袋に出し入れすることができる。二つのスピーカーからコードを延伸し、片端にあるアダプタコネクタは差込穴を具有する。
アダプタコネクタの両サイドに凸設するウィングはそれぞれ折り返しにある二つの上下に配列する定位バックル内に挿入することで、アダプタコネクタと折り畳み層は水平且つ横向きの状態を呈す。更にアダプタコネクタは折り畳み層にある穴に通したドッキングコネクタと電気接続することで、イヤホンの二つのスピーカーは本体内にて音楽を再生することができ、ニット帽をユーザーの頭部にかぶりながら、折り畳み層の背面にあるアダプタコネクタとドッキングコネクタは、ユーザーの頭部及び頚部と水平且つ横向きの状態で設置することができる。アダプタコネクタとドッキングコネクタはユーザーの頭部及び頚部を突き刺さる或いは抵触する不快感が生じることなく、長時間暖かいニット帽をかぶることができる。
【０００８】
本考案の第２の目的は、該ニット帽の収納袋にイヤホンのスピーカーを出し入れできるようにし、且つ二つの収納袋の開口位置に相対して、それぞれ上辺或いは下辺に閉側を設け、スピーカーが収納袋の収納スペースから外部に落ちるのを防止し、良好なシグナル送信を維持する。二つのスピーカーはそれぞれアダプタコネクタと接続し、更にアダプタコネクタがドッキングコネクタと電気接続し、アダプタコネクタとドッキングコネクタのオーディオコネクタは適切な深さを具有する差込穴及び防水リブを具有するオーディオプラグを設けることで、アダプタコネクタとドッキングコネクタが電気接続する際に、良好な防水効果を発揮する。雪や雨の湿気の多い天気でも、アダプタコネクタとドッキングコネクタが湿気ることなく、良好な電気接続を保つ。
【考案の効果】
【０００９】
本考案のイヤホン付きニット帽によれば、ニット帽の折り返し部分にイヤホンを収納できる二つの収納袋を設置することで、イヤホンのスピーカーを収納することができる。また、ニット帽をかぶりながら音楽を聴くことができ、別途イヤホンをつける必要がないため、便利に使うことのできる。
【図面の簡単な説明】
【００１０】
【図１】本考案の立体外観図である。
【図２】本考案の立体分解図である。
【図３】本考案のイヤホンの立体分解図である。
【図４】本考案の最良実施例の立体外観図である。
【考案を実施するための形態】
【実施例】
【００１１】
本考案によるイヤホン付きニット帽の構造を明確に示すために、実施例について図に沿って詳細な説明を行う。
【００１２】
図１、図２及び図３に示すのは、本考案の立体外観図、立体分解図及びイヤホンの立体分解図である。本考案のイヤホン付きニット帽はニット帽１及びイヤホン２を含む。
【００１３】
該ニット帽１は本体１１内部に着用スペース１１０を具有し、本体１１から折り返し１２を延伸し、折り返し１２は一段或いは一段以上の折り畳み層１２１を具有する。折り返し１２の折り畳み層１２１の背面に二つの相対する収納袋１２２を設ける。二つの収納袋１２２の内部にそれぞれ収納スペース１２２０を具有し、更に相対するサイドにそれぞれ開口１２２１を設ける。該収納袋１２２の開口１２２１はそれぞれの一辺に閉側１２２２を設ける。二つの収納袋１２２の間にある折り返し１２部分に二つの相隣するリング状定位バックル１２３を設ける。二つの定位バックル１２３は上下に縦方向に並んで設置する。更に二つの定位バックル１２３の片側の折り畳み層１２１に穴１２４を設け、外部から着用スペース１１０の中に貫通する。
【００１４】
該イヤホン２には二つの音楽スピーカー２１を具有し、二つのスピーカー２１はそれぞれ延伸してコード２２を設ける。また、二本のコード２２の別端はそれぞれアダプタコネクタ２３と接続し、アダプタコネクタ２３は差込穴２３０を具有し、外側に二つの相対するウィング２３１を設ける。アダプタコネクタ２３はドッキングコネクタ２４と電気接続することができ、更にドッキングコネクタ２４の別端を延伸してケーブル２４２を設ける。
【００１５】
上記各部品を組立てる際、ニット帽１の折り返し１２に設ける二つの収納袋１２２の開口１２２１からイヤホン２の二つのスピーカー２１を収納スペース１２２０内に入れる。また二つのスピーカー２１のコード２２と繋がるアダプタコネクタ２３の外側にある二枚のウィング２３１をそれぞれ折り返し１２に設置する二つの定位バックル１２３に挿入することで、アダプタコネクタ２３を水平且つ横向きに二つの定位バックル１２３の間に定位する。アダプタコネクタ２３を二つの定位バックル１２３に定位して組立てることで、折り返し１２部分の着用或いは折り畳む際に邪魔にならない。また、アダプタコネクタ２３はドッキングコネクタ２４と電気接続する。
【００１６】
該ドッキングコネクタ２４のケーブル２４２を折り返し１２の穴１２４から内部の着用スペース１１０に入れ、ケーブル２４２の別端に設けるオーディオコネクタ２４２１をニット帽１の外部に延伸することができ、ＭＰ３、ＭＰ４、ＭＰ５、携帯電話或いはスマートホーン、ノートパソコン或いはタブレットＰＣなどのミュージックプレイヤーと電気接続することができ、ニット帽１、イヤホン２を使った本考案のイヤホン２付きニット帽１を構成する。
【００１７】
上記ニット帽１の折り返し１２に一段或いは一段以上の折り畳み層１２１を具有する。また、本体１１の折り畳み層１２１の背面両サイドに二つの収納袋１２２を設ける。二つの収納袋１２２の相対する内側サイドに開口１２２１を形成し、且つ該二つの開口１２２１はそれぞれ上辺或いは下辺に閉側１２２２を形成する。イヤホン２の二つのスピーカー２１は二つの開口１２２１から二つの収納袋１２２に出し入れすることができ、二つのスピーカー２１をそれぞれ二つの収納袋１２２の収納スペース１２２０内に設置する。閉側１２２２により、二つのスピーカー２１は使用中に二つの収納袋１２２から落ちるのを避けることができる。二つのスピーカー２１のコード２２はアダプタコネクタ２３を接続し、ドッキングコネクタ２４と互いに電気接続する。
【００１８】
アダプタコネクタ２３とドッキングコネクタ２４はそれぞれオーディオコネクタ２４２４のジャックタイプの差込穴２３０或いはプラグタイプのプラグコネクタ２４１とすることができ、差込穴２３０とドッキングコネクタ２４のオーディオプラグ２４１を使って電気接続する。更に差込穴２３０が具有する適切な深さを利用して、オーディオプラグ２４１の絶縁体２４１１に防水効果のある複数の防水リブ２４１２を凸設することで、オーディオプラグ２４１と差込穴２３０が互いに電気接続すると、絶縁体２４１１にある複数の防水リブ２４１２と差込穴２３０の壁面で、良い密閉効果と防水効果を具有する。雪や雨のとき、空気中の湿度が高くても、アダプタコネクタ２３とドッキングコネクタ２４が湿気ずに、良好な電気接続を保つことができ、安定してシグナルを送信し、音楽を再生することができる。
【００１９】
また、ドッキングコネクタ２４の別側を延伸して設けるケーブル２４２に、ボリュームコントローラー２４３を設置し、更に小型マイク２４３１及びスイッチ２４３２を設置することができる。二つのスピーカー２１と合わせれば、携帯通信製品(携帯電話或いはスマートホーン)の音声対話時に使用することができる。また、ボリュームコントローラー２４３に音声調整スイッチ２４３３を設置すれば、二つのスピーカー２１のボリュームの調整或いはオンオフを
コントロール、調整することができる。
【００２０】
図１、図２、図３及び図４に示すように、本考案の実施例の立体外観図、立体分解図、イヤホンの立体分解図及び最良実施例の立体外観図である。
図から分かるように、本考案のニット帽１の折り返し１２にある二つの収納袋１２２内にある収納スペース１２２０にそれぞれイヤホン２の二つのスピーカー２１を入れる。二つの収納袋１２２はそれぞれ折り返し１２の折り畳み層１２１の背面に近い位置に設置し、ニット帽１の本体１１の着用スペース１１０にはユーザーの頭部が入る。二つの収納袋１２２はユーザーの左右の耳の部位に位置するため、二つの収納袋１２２内に入れたスピーカー２１もそれぞれ左右の耳に位置する。
【００２１】
二つのスピーカー２１はアダプタコネクタ２３とドッキングコネクタ２４を接続し、ケーブル２４２の別端にあるオーディオコネクタ２４２１をＭＰ３、ＭＰ４、ＭＰ５や携帯電話或いはスマートホーン、ノート型パソコン或いはタブレットＰＣ、ウォークマン（登録商標）或いはテープレコーダーなどの外付けプレイヤーと電気接続すれば、二つのスピーカー２１から流れる音楽をクリアに聴くことができるため、ニット帽１を着用すると同時に、音楽を聴く目的に達する。また、アダプタコネクタ２３及びドッキングコネクタ２４は水平且つ横向きにニット帽１の折り返し１２部分に構成する。ニット帽１をユーザーの頭部にかぶる際、アダプタコネクタ２３とドッキングコネクタ２４はユーザーの首部分に縦方向に刺さる或いは抵触して不快感が生じることはない。ニット帽１とイヤホン２の間も互いに邪魔にならず、長時間ニット帽１をかぶっていても暖かく快適且つ実用的である上、耳もイヤホン２のスピーカー２１で完全に覆わずに、外部のほかの音も聞こえるため、行進中でも安全である。
【００２２】
イヤホン２は直接ニット帽１の折り返し１２に設置することができる。イヤホン２とニット帽１を同時に携帯し、ほかのスペースを占領する必要がなく、イヤホン２が紛失することもない。イヤホン２はニット帽１に守られて、ほかの物品とぶつかりにくく、損傷しにくい。また、使用する際に新たにイヤホン２をセットする必要がなく、ニット帽１をユーザーの頭部にかぶせ、イヤホン２の二つのスピーカー２１の位置を調整するだけで、音楽を聴くことができる。使用と収納が更に便利である。また、イヤホン２をニット帽１から外せば、ニット帽１を洗うこともでき、乾燥した後再度イヤホン２をセットすることができる。イヤホン２とニット帽１の組立或いは取り外しが便利で、実用性が高く、使用効果が抜群である。
【００２３】
また、イヤホン２のアダプタコネクタ２３は両サイドにあるウィング２３１をそれぞれ折り返し１２に設置する二つの定位バックル１２３に挿入することで、折り返しと水平且つ横向きに設置することができる。また、アダプタコネクタ２３と電気接続するドッキングコネクタ２４もまた水平方向且つ横向きに折り返し１２内に置くため、折り返し１２内にあるアダプタコネクタ２３とドッキングコネクタ２４は横向きにユーザーの頭部後方の首部分に位置するため、頭と首が動く際に、アダプタコネクタ２３とドッキングコネクタ２４による影響などを受けず、垂直に刺さる或いは抵触する不快感はない。また、アダプタコネクタ２３と電気接続するドッキングコネクタ２４はそれぞれオーディオコネクタ２４２１のジャックタイプの差込穴２３０或いはプラグタイプのプラグコネクタ２４１とすることができる。
【００２４】
前記は本考案の最良実施例であり、本考案の特許範囲を限定するものではない。本考案のイヤホン付きニット帽は、ニット帽１の折り返し１２の外側に二つの相対する収納袋１２２を設け、二つの収納袋１２２の開口１２２１部からイヤホン２の二つのスピーカー２１を入れることができる。更に二つのスピーカー２１から延伸するコード２２の別端はアダプタコネクタ２３と接続する。二つのウィング２３１をそれぞれ折り返し１２に設置する二つの定位バックル１２３に挿入し、更にアダプタコネクタ２３をドッキングコネクタ２４と電気接続する。アダプタコネクタとドッキングコネクタ２４は水平且つ横向きに折り返し１２の部分で定位するため、ニット帽１をかぶる際、イヤホン２の二つのスピーカー２１を使って同時に音楽を聴ける目的に達するほか、ニット帽１とイヤホン２は互いに干渉せず、ニット帽１が斜めになる或いはイヤホン２が外れる状況は生じ難い。イヤホン２を携帯しやすく、ほかのスペースを占領しない。前記効果を得る構造及び装置は全て本考案の範囲内であり、本考案の範囲内にて行う変更や調整を行っても、本考案の重要な意義は失われず、本考案の範囲に含まれる。
【００２５】
本考案のイヤホン付きニット帽を実際使用する際、下記の各メリットを具有する。
例えば：
（一）ニット帽１は折り返し１２の折り畳み層１２１に上下に配列する定位バックル１２３を設け、イヤホン２のアダプタコネクタ２３の外側にある二つのウィング２３１をそれぞれ該定位バックル１２３に挿入することで、該アダプタコネクタ２３と接続するドッキングコネクタ２４がニット帽１の折り畳み層１２１の中で水平且つ横向きに位置することができる一方、ユーザーがニット帽１を頭部に着用しても、アダプタコネクタ２３とドッキングコネクタ２４はユーザーの頭部及び頚部と平行するため、頭部及び頚部に突き刺さる或いは抵触する不快感が生じない。
【００２６】
（二）ニット帽１本体１１の折り返し１２の折り畳み層１２背面に二つの相対する収納袋１２２を設ける。且つ二つの収納袋１２２は相対的に内側にそれぞれ開口１２２１を設け、該二つの開口１２２１はそれぞれの一辺に閉側１２２２を設け、イヤホン２の二つのスピーカー２１を二つの収納袋１２２の開口１２２１から収納スペース１２２０に出し入れすることができる。更に二つの開口１２２１の閉側１２２２により、二つのスピーカー２１が二つの収納袋１２２から落ちるのを避けることができる。
【００２７】
（三）イヤホン２のドッキングコネクタ２４はケーブル２４２をニット帽1の穴１２４に通すと、ＭＰ３、ＭＰ５或いはスマートホーンなどの外付けのミュージックプレイヤーと電気接続することができる。また、ケーブル２４２にボリュームコントローラー２４３を設置することで、二つのスピーカー２１と合わせて、携帯通信製品の音声対話に利用することができるほか、二つのスピーカー２１のボリューム或いはオンオフを調整することができる。
【００２８】
（四）イヤホン２のアダプタコネクタ２３とドッキングコネクタ２４は、アダプタコネクタ２３の差込穴２３０が具有する適切な深さを利用して、ドッキングコネクタ２４のオーディオプラグ２４１の絶縁体２４１１に防水効果のある複数の防水リブ２４１２を凸設することで、オーディオプラグ２４１と差込穴２３０が互いに電気接続すると、絶縁体２４１１の複数にある複数の防水リブ２４１２と差込穴２３０の壁面の間は、良い密閉効果と防水効果を具有する。雪や雨のとき、空気中の湿度が高くても、アダプタコネクタ２３とドッキングコネクタ２４が湿気ずに、良好な電気接続を保つことができ、安定してシグナルを送信し、音楽を再生することができる。  
【００２９】
本考案の実施例のニット帽のデザインは、ニット帽の折り返しの折り畳み層内に、二つの相対する収納袋を設け、且つ二つの収納袋の開口からイヤホンの二つのスピーカーを該収納スペース内に入れて、更に二つのスピーカーからコードを延伸し、該コードの別端はそれぞれアダプタコネクタと接続する。アダプタコネクタは外部にある二つのウィングをそれぞれ折り返しにある二つの定位バックルに挿入することで、イヤホンをニット帽に定位し、更にアダプタコネクタとドッキングコネクタを電気接続し、ドッキングコネクタのケーブルを使ってＭＰ３,ＭＰ４,ＭＰ５やスマートホーン或いはノートパソコンなど、外付けのミュージックプレイヤーと電気接続することで、ニット帽をかぶる際、同時にイヤホンを使って音楽を聴くことができることが主な目的である。
【００３０】
且つ、イヤホンとニット帽が互いに邪魔せず、イヤホンをニット帽の折り返しの折り畳み層内に収納するだけで、便利に携帯或いは収納することがメリットであり、イヤホンとニット帽を携帯する際に、イヤホンが別途スペースを占領することがない。  なお、以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３１】
１  ニット帽
１１  本体
１１０  着用スペース
１２  折り返し
１２１  折り畳み層
１２２  収納袋
１２２０  収納スペース
１２２１  開口
１２２２  閉側
１２３  定位バックル
１２４  穴
２  イヤホン
２１  スピーカー
２２  コード
２３  アダプタコネクタ
２３０  差込穴
２３１  ウィング
２４  ドッキングコネクタ
２４１  オーディオプラグ
２４１１  絶縁体
２４１２  防水リブ
２４２  ケーブル
２４２１  オーディオコネクタ
２４３  ボリュームコントローラー
２４３１  小型マイク
２４３２  スイッチ
２４３３  音声調整スイッチ
【図１】
0003181435.tif 000003
【図２】
0003181435.tif 000004
【図３】
0003181435.tif 000005
【図４】
0003181435.tif 000006